(57)【要約】      （修正有）【課題】数値制御工作機械に用いるＡＴＣコード変換器を、迅速且つ精確に帰着実装する固定角度迅速着脱装置を提供する。【解決手段】数値制御工作機械のＡＴＣコード変換器１の定角度迅速着脱装置において、コート変換器を迅速に取り外し、取り付け、再実装する時、精確に定位に帰着するものであって、１組のコード変換器一端に近隣する工作機械殻体上に固定する着脱装置を利用し、該装置が１組の係合ロッド３を有し、コード変換器の対応箇所の切り口１１または凸ブロックに合わせてなり、迅速な取り外し、実装、オリジナル実装位置及び角度の定位精度を再現する。【選択図】図１
0003141884.tif 000002
【実用新案登録請求の範囲】
【請求項１】
数値制御工作機械に用いるＡＴＣコード変換器の固定角度迅速着脱装置であって、コード変換器１の上に切り口１１を有し、該コード変換器１を固定する１組の対称な固定台２と係合ロッド３から組成され、
該対称な固定台２上に対向する係止縁２１を設け、対称な固定台２は工作機械回転軸７の一端に対応する殻体上に固定され、コード変換器１の収容溝に磁性環４を被せ、該係合ロッド３の一端は環状連結端３１を呈し、もう一端は開口係合端３２を呈し、環状連結端３１は前記固定台２の一方の係止縁２１上に定位に軸支され、
前記開口係合端３２は前記固定台２の他方の係止縁２１に迅速に係合、または、該固定台２の係止縁２１から係合解除でき、
前記係合ロッド３はコード変換器１の定位切り口１１に照準した固定台２の係止縁２１に係合することにより、工作機械回転軸７に磁性環４を固定して対応する殻体５上の定位にコード変換器１を帰着するか、または、コード変換器１を該固定台２の係止縁２１から係合解除することを特徴とするＡＴＣコード変換器の固定角度迅速着脱装置。
【請求項２】
前記コード変換器１の定位切り口１１は、凹溝１３または凸ブロック１４として設計することができることを特徴とする請求項１記載のＡＴＣコード変換器の固定角度迅速着脱装置。
【考案の詳細な説明】
【技術分野】
【０００１】
本考案は、数値制御工作機械における迅速な取り外し及び定位帰着繰り返し実装できるＡＴＣカムボックスコード変換器を有する迅速着脱装置に関し、再装着するヒートシンクフィン組み込み構造に関し、一組の着脱装置をコード変換器対応箇所の定位切り口、凹溝または凸ブロックに合わせて運用し、迅速な取り外しまたは繰り返し帰着実装する迅速着脱装置に関する。
【背景技術】
【０００２】
数値制御工作機械は、非切削時間を短縮し、生産率を向上するため、刀具自動交換機能を具備する。この刀具自動交換機能であるＡＴＣ（Automatic Tool Changer）は、工作機械の加工能力を向上し、占有空間を減少することに用い、ＡＴＣは、回転軸によって機械アーム爪を連動し機構に合わせて、例えば、脱刀、挟刀、転位等の動作を行う。
【０００３】
従来の上記のような制御は、カムボックスを運用し各運動機構のステップ制御を達成し、該カムボックス内に異なる円周の切り口を有する複数のカムを設け、各近隣する電気スイッチに合わせて、カムの主軸に従い一定角度回転する時、電気スイッチによってカム円周の変化を測定し、電極信号をホスト制御センターに送出し、各機構の起動または停止を制御する。
【０００４】
カムを電気スイッチに合わせて各機構を制御する方式は、機械物理方式に属し、通常、チェーンの緩み、カムのずれ、電気スイッチの測定の照準の失効等によって、機部の機構制御が精密制御できなくなり、起動または停止の遅延または失効等を起こし、また、新規実装、校正、修理、または再実行時、各カムの正確な角度を調整することは非常に困難であり、通常、経験を積んだものでなければ達成できない。
【０００５】
従来の機械式のカムボックスの欠陥に鑑みて、近年、当業者は、主軸または特定回転軸末端に直接実装できる電子式コード変換器を開発し、磁性環およびエンコーダが交互に磁性感応することによって電気信号をホスト制御センターへ送出し、適時各機構を制御する目的を達成する。
【０００６】
但し、通常、コード変換器を設置または固定する空間は、機台体積の要素を縮小することを妨害し、使用可能空間が非常に制限され、該コード変換器を取り外しまたは実装するのに非常に不便である。
【特許文献１】特開平０７−２２３１４０号公報
【考案の開示】
【考案が解決しようとする課題】
【０００７】
上述したように、数値制御工作機械のカムボックスコード変換器の特性は、適時精確に各機構の確実動作を制御し、且つ毎回の設定を精確にし、設定後に該設定を次回の再設定まで保留なければならないので、カムボックスコード変換器は、一定の方位を保持しなければならない。
本考案の課題は、このような不都合に鑑みてなされたもので、カムボックスコード変換器を、迅速且つ精確に帰着実装ことができる数値制御工作機械におけるＡＴＣコード変換器の一定角度迅速着脱装置を提供しようとするものである。
【課題を解決するための手段】
【０００８】
前記の課題を解決するために、請求項１の考案は、数値制御工作機械に用いるＡＴＣコード変換器の固定角度迅速着脱装置であって、コード変換器１の上に切り口１１を有し、該コード変換器１を固定する１組の対称な固定台２と係合ロッド３から組成され、
該対称な固定台２上に対向する係止縁２１を設け、対称な固定台２は工作機械回転軸７の一端に対応する殻体上に固定され、コード変換器１の収容溝に磁性環４を被せ、該係合ロッド３の一端は環状連結端３１を呈し、もう一端は開口係合端３２を呈し、環状連結端３１は前記固定台２の一方の係止縁２１上に定位に軸支され、
前記開口係合端３２は前記固定台２の他方の係止縁２１に迅速に係合、または、該固定台２の係止縁２１から係合解除でき、
前記係合ロッド３はコード変換器１の定位切り口１１に照準した固定台２の係止縁２１に係合することにより、工作機械回転軸７に磁性環４を固定して対応する殻体５上の定位にコード変換器１を帰着するか、または、コード変換器１を該固定台２の係止縁２１から係合解除することを特徴とする。
請求項２の考案は、請求項１記載のＡＴＣコード変換器の固定角度迅速着脱装置において、前記コード変換器１の定位切り口１１は、凹溝１３または凸ブロック１４として設計することができることを特徴とする。  
【考案の効果】
【０００９】
本考案のＡＴＣコード変換器の定角度迅速着脱装置によれば、数値制御工作機械のコート変換器を迅速に取り外し、取り付け、再実装する時、精確に定位に帰着することができ、特に、１組のコード変換器一端に近隣する工作機械殻体上に固定する着脱装置を利用し、該装置が１組の係合ロッドを有し、コード変換器の対応箇所の切り口または凸ブロックに合わせてなり、ＡＴＣコード変換器を迅速に取り外し、または再装着することができ、毎回、迅速な取り外し、実装の場合もオリジナル実装位置及び角度の定位精度を再現することができる。
【考案を実施するための最良の形態】
【００１０】
本考案の好適な数値制御工作機械に用いたＡＴＣコード変換器の固定角度迅速着脱装置の実施例を図面に沿って説明する。
図１から図３に示すように、本考案の数値制御工作機械(ＣＮＣ)に用いたＡＴＣ（Automatic Tool Changer）コード変換器の固定角度迅速着脱装置は、その上に切り口１１を有するコード変換器と１組の対称な固定台２と係合ロッド３から組成される迅速着脱装置である。
【００１１】
図４に示すように、該対称な固定台２上に係止縁２１を設け、対称な固定台２は、螺子２２によってＣＮＣ(Computer(ized) Numerical(ly) Control(led))工作機械回転軸７の一端に対応する殻体上に螺子固定する。
【００１２】
図７に示すように、関連位置に実装し、上記ＣＮＣ工作機械７末端に磁性環４を固定し、コード変換器１がその収容溝を磁性環４に被せ、磁性環４の回転によってコード変換器１によってその回転角度を測定し、連接するケーブル１２によって電気信号をホスト制御センターに提供し適時その動作を実行する。
【００１３】
該係合ロッド３の一端は、環状連結端３１を呈し、もう一端は、開口係合端３２を呈し、環状連結端３１は固定台２の一方の係止縁２１上の定位に軸支し、係合端３２は固定台２の他方の係止縁２１に迅速に係合、または該固定台２の係止縁２１から係合解除できる。
【００１４】
図１および図２に示すように、最初に該コード変換器を実装、または再実装する時、コード変換器１の収容溝に磁性環４に被せ、その定位切り口１１によってコード変換器１を係合ロッド３の対応する方位または角度に調整した後、係合ロッド３の開口係合端３２によって定位切り口１１に照準し施圧し、固定台２に対応する係止縁２１に係合し、コード変換器１を固定し、毎回、該コード変換器を迅速且つ精確に帰着実装することができる。
【００１５】
図２に示すように、該コード変換器１を取り外す時、反対に係合ロッド３の開口係合端３２を固定台２の係止縁２１から係合解除すれば、迅速に該コード変換器１を取り外すことができる。
【００１６】
図５および図６に示すように、上記コード変換器１の定位切り口１１は、実施時に凹溝１３または凸ブロック１４として設計することもでき、同一の効果を達成することができる。
なお、本考案の特徴を損なうものでなければ、上記の実施例に限定されるものでないことは勿論である。
【図面の簡単な説明】
【００１７】
【図１】本考案の立体図である。
【図２】本考案の実施例を操作する立体図である。
【図３】本考案の前面図である。
【図４】本考案の実装の説明図である。
【図５】本考案のもう１つの実施例の立体図である。
【図６】本考案のもう１つの実施例の立体図である。
【図７】本考案の実施例を実装する立体分解図である。
【符号の説明】
【００１８】
１  コード変換器
１１  定位切り口
１２  ケーブル
１３  凹溝
１４  凸ブロック
２  固定台
２１  係止縁
２２  螺子
３  係合ロッド
３１  環状連結端
３２  開口係合端
４  磁性環
５  殻体
７  回転軸
【図１】
0003141884.tif 000003
【図２】
0003141884.tif 000004
【図３】
0003141884.tif 000005
【図４】
0003141884.tif 000006
【図５】
0003141884.tif 000007
【図６】
0003141884.tif 000008
【図７】
0003141884.tif 000009